(57)【要約】【課題】非使用時または運搬時には開閉蓋をロックして収容物の飛び出しを防止し、使用時には簡便にそのロックを解除することができる薬箱を提供する。【解決手段】上面が開口された箱状本体２と、この箱状本体２の上部に開閉自在に取り付けられた開閉蓋３と、開閉蓋３を跨がった状態で箱状本体に設けられた把手４とを有し、把手４は、箱状本体２の両側壁に設けられた支点部を中心として揺動する一対のアーム部４ａ，４ｂと、これらのアーム部から開閉蓋３に向けて突設される弾性変形可能な突部４ｈ，４ｈとを有し、突部４ｈ，４ｈは、アーム部４ａ，４ｂが起立姿勢に移行する際に弾性変形され、起立姿勢への移行が完了した状態で弾性変形の復元によって開閉蓋３に形成された受け部３ｅと係合するように構成されていることを特徴とする。【選択図】図１
2007330525.tif 000002
【特許請求の範囲】
【請求項１】
上面が開口された箱状本体と、この箱状本体の上部に開閉自在に取り付けられた開閉蓋と、上記開閉蓋を跨がった状態で箱状本体に設けられた把手とを有し、
上記把手は、上記箱状本体の両側壁に設けられた支点部を中心として揺動する一対のアーム部と、これらのアーム部から上記開閉蓋に向けて突設される弾性変形可能な突部とを有し、
上記突部は、上記アーム部が起立姿勢に移行する際に弾性変形され、起立姿勢への移行が完了した状態で弾性変形の復元によって上記開閉蓋に形成された受け部と係合するように構成されていることを特徴とする薬箱。
【請求項２】
上記突部として、上記アーム部の内壁から延設される板ばね部と、この板ばね部の自由端に形成される球体部とを有する請求項１記載の薬箱。
【請求項３】
上記受け部として、上記球体部と係合する断面円弧状の凹部が上記開閉蓋に形成されている請求項２記載の薬箱。
【請求項４】
上記突部は、上記開閉蓋の上面に向けて延設され、その開閉蓋の上面に上記凹部が形成されている請求項３記載の薬箱。
【請求項５】
上記アーム部の内壁にさらに第二の突部を有するとともに、上記アーム部の起立姿勢において上記第二の突部と係合する第二の受け部が上記開閉蓋の側壁または上記箱状本体の側壁に形成されている請求項１から４のいずれか１項に記載の薬箱。
【請求項６】
上記アーム部は、起立姿勢と上記箱状本体の前方に倒伏する倒伏姿勢との間で揺動可能に構成され、アーム部揺動範囲における上記開閉蓋が、上記上面から前下がりの傾斜面に形成されている請求項４または５記載の薬箱。
【発明の詳細な説明】
【技術分野】
【０００１】
本発明は、常備薬、包帯やガーゼなどの衛生用品、体温計などを収容する薬箱に関するものである。
【背景技術】
【０００２】
従来の一般的な薬箱は、図９に示すように、上面が開口されている箱状本体５０と、この箱状本体５０の上部に開閉自在に設けられた開閉蓋５１と、箱状本体５０の側部に設けられ、薬箱を持ち運び可能にするためのコ字状の取手５２とから主として構成されている（例えば、特許文献１参照）。
【０００３】
なお、図中、５３は薬を分別して収納するための薬収納ケースである。
【０００４】
開閉蓋５１は箱状本体５０の背面部に設けられている軸支部（図示しない）を支点として回動自在に構成されている。
【０００５】
また、開閉蓋５１の前縁部５１ａには係止部５１ｂが突出した状態で形成されており、開閉蓋５１を閉じると、その係止部５１ｂが箱状本体５０の前側上縁部５０ａに係止されるようになっている。
【特許文献１】特開２００２−３６０６６２号公報（第(３)頁、図５）
【発明の開示】
【発明が解決しようとする課題】
【０００６】
しかしながら、上記した従来の薬箱では、取手５２が箱状本体５０に対して回動自在な状態で連結されているため、薬箱を持ち運ぶ際に箱状本体５０が振れて不安定となり、また、開閉蓋５１に外力が作用した場合には係止部５１ｂの係止が外れて収容物が飛び出す虞れもある。
【０００７】
なお、施錠することによって開閉蓋５１をロックすることも考えられるが、この場合、薬箱の構成が複雑になるばかりか、開閉蓋５１の開け閉めが煩雑になる。
【０００８】
本発明は以上のような従来の薬箱における課題を考慮してなされたものであり、非使用時または運搬時には開閉蓋をロックして収容物の飛び出しを防止し、使用時には簡単にそのロックを解除することができる薬箱を提供するものである。
【課題を解決するための手段】
【０００９】
本発明は、上面が開口された箱状本体と、この箱状本体の上部に開閉自在に取り付けられた開閉蓋と、開閉蓋を跨がった状態で箱状本体に設けられた把手とを有し、
上記把手は、箱状本体の両側壁に設けられた支点部を中心として揺動する一対のアーム部と、これらのアーム部から開閉蓋に向けて突設される弾性変形可能な突部とを有し、
上記突部は、アーム部が起立姿勢に移行する際に弾性変形され、起立姿勢への移行が完了した状態で弾性変形の復元によって開閉蓋に形成された受け部と係合するように構成されている薬箱である。
【００１０】
本発明に従えば、開閉蓋を閉じた状態で把手のアーム部を起立させると、そのアーム部に設けられている突部が開閉蓋に形成されている受け部と係合して開閉蓋の開き動作を拘束するため、開閉蓋が開閉不能にロックされる。一方、アーム部を起立状態から移動させると、突部が受け部から離脱するため、開閉蓋の開閉が可能になる。
【００１１】
本発明において、上記突部としては、アーム部の内壁から延設される板ばね部と、この板ばね部の自由端に形成される球体部とから構成することが好ましい。
【００１２】
本発明において、上記受け部として、球体部と係合する断面円弧状の凹部を上記開閉蓋に形成することができる。
【００１３】
本発明において、上記突部を開閉蓋の上面に向けて延設し、その開閉蓋の上面に上記凹部を形成すれば、凹部に係合された突部が開閉蓋の上面を押圧することになり、開閉蓋を安定してロックすることができるようになる。
【００１４】
本発明において、上記アーム部の内壁にさらに第二の突部を有するとともに、アーム部の起立姿勢において上記第二の突部と係合する第二の受け部を開閉蓋の側壁または箱状本体の側壁に形成すれば、第二の突部と第二の受け部との係合が、把手の不用意な外れを防止することができる。
【００１５】
本発明において、上記アーム部を、起立姿勢と箱状本体の前方に倒伏する倒伏姿勢との間で揺動可能に構成する場合、アーム部揺動範囲における開閉蓋は、上記上面から前下がりの傾斜面に形成することが好ましい。
【発明の効果】
【００１６】
本発明によれば、非使用時または運搬時には開閉蓋をロックして収容物の飛び出しを防止し、使用時には簡単にそのロックを解除することができる薬箱を提供することができる。
【発明を実施するための最良の形態】
【００１７】
以下、図面に示した実施の形態に基づいて本発明を詳細に説明する。
【００１８】
図１は、本発明に係る薬箱の実施形態を示した斜視図であり、開閉蓋を閉じた状態を示している。
【００１９】
〈全体構成〉
同図において、薬箱１は常備薬、衛生用品（包帯、ガーゼ、綿棒、ピンセット、消毒薬など）、体温計等を収容する樹脂製容器からなり、上面が開口された箱状本体２と、その箱状本体２の上部に設けられ箱状本体２の後部に配置された支点部を中心として回動自在に構成された開閉蓋３と、箱状本体２の側壁２ａ，２ｂに設けられるコ字状の把手４とを備えている。
【００２０】
なお、箱状本体２内には薬を分別するための公知の仕切板（図示しない）を備えることができる。
【００２１】
開閉蓋３を開ける場合、図２に示すように、まず、把手４を箱状本体２の側壁下部に設けられた支点部を中心として矢印Ａ方向に回転させる。把手４を箱状本体２の前方に倒伏させると、開閉蓋３は、図３に示すように矢印Ｂ方向に開くことができるようになっている。
【００２２】
〈箱状本体〉
箱状本体２後部の左右両側には、ブラケット部２ｄが板状に立設されており、このブラケット部２ｄに軸孔２ｅが形成されている。この軸孔２ｅに対し、上記開閉蓋３の後部に形成された軸部（図示しない）を係合させることにより、上記開閉蓋３の支点部が構成されている。
【００２３】
また、箱状本体２の側壁略中央にも軸孔２ｃが形成されており、この軸孔２ｃに対し、把手４の基端側に設けられた軸部４ｃ（図４参照）を係合させることにより、把手４の支点部が構成されている。
【００２４】
また、２ｆは箱状本体２の開口縁に沿ってその内側に形成された段部であり、開閉蓋３が閉じられた際に、その開閉蓋３の下縁部３ａ内面と当接して開閉蓋３の閉じ状態を安定させるようになっている。
【００２５】
〈開閉蓋〉
図１に戻って説明する。
把手４が揺動する範囲における開閉蓋３は、前下がりの傾斜面３ｂに形成されており、この傾斜面３ｂと連続してその後方に略水平な天板部３ｃが形成され、その天板部３ｃの後部に上記軸孔２ｅに挿入される軸部（図示しない）が形成されている。
【００２６】
上記天板部３ｃにおいて、傾斜面３ｂとの境界線Ｃ寄りには浅溝（受け部としての凹部）３ｅ，３ｅが形成されている。
【００２７】
これらの浅溝３ｅ，３ｅは、天板部３ｃの左右両端から所定長さ対向するようにして形成されており、溝の断面は左右方向から見て円弧状に形成されている。
【００２８】
また、開閉蓋３における前板部３ｆの中央には、開閉蓋３を開く際に指をかけるためのフック部３ｇが形成されている。また、開閉蓋３の側壁３ｈ，３ｉは箱状本体２の側壁２ａ，２ｂと面一に連絡している。
【００２９】
〈把手〉
次に、把手４について説明する。
把手４は図４の部品図に示すように、平行な状態で左右に配置されるアーム部４ａ，４ｂを有し、アーム部４ａ，４ｂの基端部には、箱状本体２の軸孔２ｃに挿入される軸部４ｃ，４ｃが対向する状態で突設されている。
【００３０】
アーム部４ａ，４ｂの先端部（図では上端部）は、平行に配置された２本の棒４ｄ，４ｅによって接続されており、アーム部４ａ，４ｂおよび棒４ｄ，４ｅは全体としてコ字状をなすように配置されている。
【００３１】
また、上記２本の棒４ｄ，４ｅは取手４ｆとして機能するようになっており、薬箱１を持ち上げた場合には、棒４ｄ，４ｅが若干、撓むことができるようになっている。それにより、薬箱１の重量を適度に分散させて持ち運びを容易にしている。
【００３２】
また、アーム部４ａ，４ｂの各内壁には、弾性変形が可能な板ばね部４ｇの先端に球体部４ｈを備えたストッパ（弾性変形可能な突部）４ｉが対向する状態で配設されている。
【００３３】
これらのストッパ４ｉにおける球体部４ｈ，４ｈは、上記した浅溝３ｅ，３ｅにそれぞれ係合するように配置されており、浅溝３ｅ，３ｅに係合する手前で上記開閉蓋３の上面と接触して移動する際は、板ばね部４ｇが弾性変形して球体部４ｈ，４ｈが押し上げられ、浅溝３ｅ，３ｅに到達すると、板ばね部４ｇが復元する弾発力によって球体部４ｈ，４ｈがその浅溝３ｅ内に落ち込むようになっている。それにより、開閉蓋３の開き方向の動作が拘束され、開閉蓋３がロックされる。
【００３４】
図５(ａ)はストッパ４ｉの球体部４ｈが、開閉蓋３の傾斜面３ｂ上にある状態、すなわち、非ロック状態を示している。一方、図５(ｂ)は上記球体部４ｈが、天板部３ｃの浅溝３ｅに嵌合した状態、すなわち、ロック状態を示している。
【００３５】
また、図６は非ロック状態からロック状態に移行する際のアーム部４ａ位置の変化を、薬箱１の左右方向から見たものである。
【００３６】
同図において、Ｄは起立姿勢にある把手４の中心線を示している。
【００３７】
同図(ａ)において、把手４を矢印Ｂ方向に回転させると、球体部４ｈが浅溝３ｅに向かって移動する。
【００３８】
把手４を回転し続けると、同図(ｂ)に示すように、球体部４ｈが浅溝３ｅの縁部３ｅ′に接触して抵抗を受ける。この抵抗に抗してストッパ４ｉをさらに回転させると、板ばね部４ｇ（図５(ａ)参照）が上向きに弾性変形することにより、球体部４ｈは縁部３ｅ′を乗り越えることができる。球体部４ｈの球面形状は、縁部３ｅ′をスムーズに乗り越えるためにある。
【００３９】
その結果、同図(ｃ)に示すように、球体部４ｈは縁部３ｅ′を通過して浅溝３ｅ内に落ち込み、球体部４ｈは浅溝３ｅ内で保持される。その結果、開閉蓋３はストッパ４ｉによってロックされる。
【００４０】
なお、図６において把手４を矢印Ｂ方向と逆方向に回転させれば、球体部４ｈが浅溝３ｅから外れ、開閉蓋３を開くことができるようになる。
【００４１】
なお、把手４の回動範囲にある開閉蓋３には傾斜面３ｂが形成されているため、把手４の揺動操作を阻害しないようになっている。
【００４２】
図４に戻って説明する。
【００４３】
上記ストッパ４ｉと軸部４ｃとの間のアーム部４ａ内壁には、アーム部４ａに沿って断面半円状の凸条からなるサイドストッパ（第二の突部）４ｊが一定長さ形成されており、このサイドストッパ４ｊと係合する凹溝（第二の受け部）３ｊ（図１参照）が箱状本体２の側壁２ａに形成されている。
【００４４】
このサイドストッパ４ｊは把手４がロック位置から不用意に外れることを防止するためのものである。
【００４５】
上記ストッパ４ｈとサイドストッパ４ｊは把手４に一体成形されている。
【００４６】
図７は、アーム部４ｂのサイドストッパ４ｊと開閉蓋側壁３ｈ（または３ｉ）に形成されている凹溝３ｊとの係合状態を説明するためのものであり、薬箱１を平面から見たときの断面図である。
【００４７】
同図(ａ)は係合前の状態を示し、同図(ｂ)は凹溝３ｊの前後方向両側に形成されている山部３ｋ，３ｋの一方を乗り越えようとする状態を示し、同図(ｃ)はサイドストッパ４ｊが凹溝３ｊと係合した状態、すなわちロック状態を示している。
【００４８】
図８は、開閉蓋３に対し、上記した把手４のストッパ４ｉおよびサイドストッパ４ｊがどのように係合しているかを示した縦断面図である。
【００４９】
同図に示すように、把手４の中心線Ｄ（図２参照）上にストッパ４ｉとサイドストッパ４ｊが並んで配設されており、ストッパ４ｉが浅溝３ｅに係合する時に、サイドストッパ４ｊもまた凹溝３ｊに係合する。
【００５０】
また、サイドストッパ４ｊが開閉蓋３に形成されている凹溝３ｊと係合する手前で、山部３ｋ（図７(ａ)参照）を乗り越える場合にはアーム部４ｂが矢印Ｅ方向に撓んでばねとして機能し、サイドストッパ４ｊの係合を円滑にする。
【００５１】
なお、上記実施形態では、開閉蓋３の上面二カ所をストッパ４ｉ，４ｉでロックし、開閉蓋３の側壁二カ所をサイドストッパ４ｊ，４ｊでロックし、開閉蓋３を合計四カ所でロックする構成について示したが、少なくとも開閉蓋３の上面二カ所をストッパ４ｉ，４ｉでロックすれば、本発明の効果を達成することができる。
【００５２】
このように、本発明の薬箱では、把手とストッパとを一体にし、開閉蓋３のロック、ロック解除を、把手４の揺動動作に連動させるようにしたため、使用時には把手を倒して簡単に開閉蓋３を開閉することができ、非使用時には把手を起立させることにより開閉蓋３を自動的にロックすることができる。
【００５３】
なお、上記実施形態では凹溝３ｊを開閉蓋３の側壁３ｈに形成したが、その側壁３ｈに十分なスペースがない場合には、箱状本体２の側壁２ａに設けてもよい。この場合、サイドストッパ４ｊについても、側壁２ａに形成された凹溝３ｊに対応するようにアーム部４ｂに形成される。
【００５４】
また、上記実施形態ではストッパ４ｉを板ばね部４ｇと球体部４ｈで構成したが、開閉蓋３の上面に接触する部分の摩擦抵抗を小さくすることができる形状であれば、球体部４ｇを半球状または断面円弧状（下向き凸）の軸で構成することもできる。
【００５５】
また、上記実施形態に示したように、ストッパ４ｉとサイドストッパ４ｊを設けた場合は、サイドストッパ４ｊがアーム部４ａ，４ｂを起立位置に保持することができるため、開閉蓋３の上面に形成される浅溝３ｅを省略することもできる。
【図面の簡単な説明】
【００５６】
【図１】本発明に係る薬箱の外観を示す斜視図である。
【図２】図１に示す把手の操作方向を示す側面図である。
【図３】図１に示す開閉蓋の開き方向を示す側面図である。
【図４】図１の把手の形状を示す正面図である。
【図５】(ａ)はストッパの非ロック状態を示す縦断面図、(ｂ)はロック状態を示す縦断面図である。
【図６】(ａ)は非ロック状態のアーム部位置を示す説明図、(ｂ)はロック途中のアーム部位置を示す説明図、(ｃ)はロック状態のアーム部位置を示す説明図である。
【図７】(ａ)はサイドストッパの非ロック状態を示す横断面図、(ｂ)はロック途中の状態を示す横断面図、(ｃ)はロック状態を示す横断面図である。
【図８】ストッパとサイドストッパによるロック状態を説明する縦断面図である。
【図９】従来の薬箱の構成を示す斜視図である。
【符号の説明】
【００５７】
１    薬箱
２    箱状本体
２ａ，２ｂ  側壁
２ｃ  軸孔
２ｄ  ブラケット部
２ｅ  軸孔
３ｆ  段部
３    開閉蓋
３ａ  下縁部
３ｂ  傾斜面
３ｃ  天板部
３ｄ  軸部
３ｅ  浅溝
３ｆ  前板部
３ｇ  フック部
３ｈ，３ｉ  側壁
３ｊ  凹溝
４    把手
４ａ，４ｂ  アーム部
４ｃ  軸部
４ｄ，４ｅ  棒
４ｆ  取手
４ｇ  板ばね部
４ｈ  球体部
４ｉ  ストッパ
４ｊ  サイドストッパ
【図１】
2007330525.tif 000003
【図２】
2007330525.tif 000004
【図３】
2007330525.tif 000005
【図４】
2007330525.tif 000006
【図５】
2007330525.tif 000007
【図６】
2007330525.tif 000008
【図７】
2007330525.tif 000009
【図８】
2007330525.tif 000010
【図９】
2007330525.tif 000011